(57)【要約】  約２０重量％〜約８０重量％の１−クロロ−３，３，３−トリフルオロプロペン（ＨＦＯ−１２３３ｚｄ）と、約２０重量％〜約８０重量％の１，１，１，２，２，４，５，５，５−ノナフルオロ−４−（トリフルオロメチル）−３−ペンタノン（ＦＫ５−１−１２）とを含む、消火剤、並びに当該消火剤を使用する方法、システム及び容器が開示される。【選択図】なし【特許請求の範囲】
【請求項１】
約２０重量％〜約８０重量％の１−クロロ−３，３，３−トリフルオロプロペン（ＨＦＯ−１２３３ｚｄ）と、約２０重量％〜約８０重量％の１，１，１，２，２，４，５，５，５−ノナフルオロ−４−（トリフルオロメチル）−３−ペンタノン（ＦＫ５−１−１２）と、を含む、消火剤。
【請求項２】
前記ＨＦＯ−１２３３ｚｄ及びＦＫＦ−１−１２が共に、前記消火剤の少なくとも約９０重量％を構成する、請求項１に記載の消火剤。
【請求項３】
前記ＨＦＯ−１２３３ｚｄが、ＨＦＯ−１２３３ｚｄ（Ｅ）からなる、請求項１に記載の消火剤。
【請求項４】
ＨＦＯ−１２３３ｚｄ及びＦＫＦ−１−１２から本質的になる、請求項１に記載の消火剤。
【請求項５】
約５０重量％〜約８０重量％のＨＦＯ−１２３３ｚｄと、約２０重量％〜約５０重量％のＦＫ５−１−１２と、を含む、請求項１に記載の消火剤。
【請求項６】
約４０重量％〜約６０重量％のＨＦＯ−１２３３ｚｄと、約４０重量％〜約６０重量％のＦＫ５−１−１２と、を含む、請求項１に記載の消火剤。
【請求項７】
約５０重量％のＨＦＯ−１２３３ｚｄと、約５０重量％のＦＫ５−１−１２と、を含む、請求項６に記載の消火剤。
【請求項８】
火炎を消火する方法であって、
（ａ）約２０重量％〜約８０重量％の１−クロロ−３，３，３−トリフルオロプロペン（ＨＦＯ−１２３３ｚｄ）と、約２０重量％〜約８０重量％の１，１，１，２，２，４，５，５，５−ノナフルオロ−４−（トリフルオロメチル）−３−ペンタノン（ＦＫ５−１−１２）とを含む消火剤を提供することと、
（ｂ）前記消火剤を、約６体積％以下の空気中の濃度をもたらす量で前記火炎に適用することと、を含む、方法。
【請求項９】
前記消火剤が、（ｉ）約２５℃未満の沸点を有し、（ｉｉ）約２０秒以下の消火速度をもたらす、請求項１４に記載の方法。
【請求項１０】
前記適用する工程が、約５体積％以下の空気中の前記消火剤の濃度をもたらし、前記適用することが、前記消火剤を約８０°Ｆを超える温度及び約７０％を超える相対湿度を有する領域に適用することを含む、請求項１５に記載の方法。
【発明の詳細な説明】
【技術分野】
【０００１】
関連出願の相互参照
本出願は、２０１７年５月８日出願の米国仮出願第６２／５０２，９０５号の優先権を主張するものであり、その全体が参照により本明細書に組み込まれる。
【０００２】
本発明は、消火剤、消火剤を含む組成物、並びに消火剤を使用する方法、システム及び容器に関する。
【背景技術】
【０００３】
サイズ、場所及び関与する可燃性材料の種類などの要因に応じて、火災を抑制及び／又は消火するための多くの薬剤及び方法が知られており、特定の火災のために選択することができる。
【０００４】
ある特定のハロゲン化炭化水素消火剤は、防火産業において、具体的には、閉鎖領域（例えば、コンピュータルーム、保管庫、電気通信スイッチングギアルーム、図書館、文書アーカイブ、石油パイプラインポンピングステーションなど）が、有効量の薬剤で完全に満たされる（フラッドする）トータルフラッディングアプリケーションを含むアプリケーションにおいて、又は消火剤が火災の場所に配向されるストリーミングアプリケーション（例えば、市販の手持ち式消火器）において使用されている。そのような消火剤は有効であるだけでなく、水とは異なり、「清潔な消火剤」としても機能し、囲い又はその内容物への損傷を、たとえあるとしてもほとんど生じさせない。
【０００５】
以前に、最も一般的に使用されているハロゲン化炭化水素消火剤は、ブロモトリフルオロメタン（ＣＦ３Ｂｒ、Ｈａｌｏｎ  １３０１）及びブロモクロロジフルオロメタン（ＣＦ２ＣＩＢｒ、Ｈａｌｏｎ  １２１１）などの臭素含有化合物であった。これらの臭素含有ハロカーボンは、火災の消火において非常に有効であり、ストリーミング機器又はトータルフラッディングシステムのいずれかから分配され得るが、これらの化合物は、成層圏オゾンの破壊（「オゾン破壊」）に関連している。例えば、Ｈａｌｏｎ  １３０１は、約１０のオゾン破壊係数（Ｏｚｏｎｅ  Ｄｅｐｌｅｔｉｏｎ  Ｐｏｔｅｎｔｉａｌ、ＯＤＰ）を有し、Ｈａｌｏｎ  １２１１は、約３のＯＤＰを有する。１９８７年には、臭素含有ハロカーボンを含むオゾン破壊製品を段階的に削減するためのタイムテーブルを定めた、地球環境を保護するためのモントリオール議定書に多くの政府が署名した。
【０００６】
更に、これらの化合物のある特定のものは、比較的低い濃度レベルであっても毒性に関する問題を有する。例えば、Ｈａｌｏｎ  １２１１は、空気中１〜２体積％を超えるレベルで使用したときに、心臓感作を引き起こす。
【０００７】
臭素含有ハロカーボンに代わる不燃性、非毒性の代替物の要求に応じて、業界では、オゾン破壊係数がゼロであるいくつかのヒドロフルオロカーボン（ｈｙｄｒｏｆｌｕｏｒｏｃａｒｂｏｎ、ＨＦＣ）が開発された。例えば、１，１，１，２，３，３，３−ヘプタフルオロプロパン（１，１，１，２，３，３，３−ｈｅｐｔａｆｌｕｏｒｏｐｒｏｐａｎｅ、ＨＦＣ−２２７ｅａ）は、特定の消火アプリケーションに採用されており、またオゾン破壊に寄与しない。
【０００８】
しかしながら、ＨＦＣ−２２７ｅａは、約３２２０の地球温暖化係数（Ｇｌｏｂａｌ  Ｗａｒｍｉｎｇ  Ｐｏｔｅｎｔｉａｌ、ＧＷＰ）を有する（ＩＰＣＣ（２００７）Ｃｌｉｍａｔｅ  Ｃｈａｎｇｅ  ２００７：Ｔｈｅ  Ｐｈｙｓｉｃａｌ  Ｓｃｉｅｎｃｅ  Ｂａｓｉｓ．Ｃｏｎｔｒｉｂｕｔｉｏｎ  ｏｆ  Ｗｏｒｋｉｎｇ  Ｇｒｏｕｐ  Ｉ  ｔｏ  ｔｈｅ  Ｆｏｕｒｔｈ  Ａｓｓｅｓｓｍｅｎｔ  Ｒｅｐｏｒｔ  ｏｆ  ｔｈｅ  Ｉｎｔｅｒｇｏｖｅｒｎｍｅｎｔａｌ  Ｐａｎｅｌ  ｏｎ  Ｃｌｉｍａｔｅ  Ｃｈａｎｇｅ．Ｓ．Ｓｏｌｏｍｏｎ  ｅｔ  ａｌ．，Ｃａｍｂｒｉｄｇｅ  Ｕｎｉｖｅｒｓｉｔｙ  Ｐｒｅｓｓ．Ｃａｍｂｒｉｄｇｅ，Ｕｎｉｔｅｄ  Ｋｉｎｇｄｏｍによる）。したがって、低いオゾン破壊係数（ＯＤＰ）及び低い地球温暖化係数（ＧＷＰ）の両方を有する清潔な消火剤が当該技術分野において必要とされている。
【０００９】
当該技術分野では、交換用の清潔な消火剤は、好ましくは望ましくない結果を最小に抑えて、火災を効果的かつ安全に消火することが可能であるように、特性の集成を有しなければならないことが理解される。その集成は、中でも一般に、優れた消火特性、並びに化学的安定性、低毒性又は無毒性を含む。交換用の清潔な消火剤はまた、許容される環境特性、すなわち、低い地球温暖化係数（ＧＷＰ）及び低いオゾン破壊係数（ＯＤＰ）を有しなければならない。しかしながら、これらの要件の全てを満たす火炎消火剤の特定は、当業者にとって重要な課題を提示する。
【００１０】
ほぼ大気圧（すなわち約１ａｔｍ）で測定したときに、室温（すなわち、約２１℃）でガス状であるか、又は室温若しくはほぼ室温（すなわち、約２１℃）の沸点を有する消火剤を提供することも望ましい。室温より高い沸点を有する火災消火剤（したがって排出されたときに液体である）を使用することができるが、室温又はほぼ室温（すなわち、約２１℃）の沸点を有する消火剤は、室温を超える沸点を有する消火剤よりも迅速に蒸発し、したがって、消火される火炎を取り囲む領域（又は不活性化される領域）をより速く満たし、他の全てのものは等しい。
【００１１】
国際公開第２００７／００２６２５号は、火炎を抑制する方法において、式（Ｉ）のフルオロアルケン、ＸＣＦｚＲ３−ｚを使用できることを開示している。１−クロロ−３，３，３−トリフルオロプロペン（１−ｃｈｌｏｒｏ−３，３，３−ｔｒｉｆｌｏｕｒｏｐｒｏｐｅｎｅ、ＨＦＯ−１２３３ｚｄ）を含むモノクロロ、トリフルオロプロペン（ｍｏｎｏｃｈｌｏｒｏ，  ｔｒｉｆｌｕｏｒｏｐｒｏｐｅｎｅ、ＨＦＯ−１２３３）は、式（Ｉ）の化合物として開示される。
【００１２】
米国特許第９，３８７，３５２号は、火災を抑制するための液体消火／不活性化システムを開示し、１，１，１，２，２，４，５，５，５−ノナフルオロ−４−（トリフルオロメチル）−３−ペンタノンを潜在的な液体消火剤として特定する。
【００１３】
出願人らは、以前に利用可能な火災抑制組成物、システム及び方法が、１つ以上の欠点を有することを理解するであろう。例えば、１，１，１，２，２，４，５，５，５−ノナフルオロ−４−（トリフルオロメチル）−３−ペンタノンは、火炎抑制の有効性の程度を有するが、室温で液体であって、その結果、火災抑制領域内の表面に液体として堆積する傾向があり得る。このような状況は、液体でコーティングされた材料が、その後に清浄される必要があるか、又は場合によっては、補修若しくは交換が必要であり得るという点で不都合であり得る。
【図面の簡単な説明】
【００１４】
【図１】本発明の消火剤の方法及びシステムの一実施形態による、トータルフラッディングシステムを概略的に示す。
【図２】本明細書の実施例に記載される「密閉ドラム試験」で使用される密閉ドラムの概略図である。
【発明の概要】
【００１５】
出願人らは、先行の組成物、方法及びシステムによる問題のうちの１つ以上を回避しながら、迅速かつ効果的な火炎抑制を達成する、非常に有利な組成物、システム及び方法を開発した。
【００１６】
本発明は、相対比率でＨＦＯ−１２３３ｚｄ及び１，１，１，２，２，４，５，５，５−ノナフルオロ−４−（トリフルオロメチル）−３−ペンタノン（１，１，１，２，２，４，５，５，５−ｎｏｎａｆｌｕｏｒｏ−４−（ｔｒｉｆｌｕｏｒｏｍｅｔｈｙｌ）−３−ｐｅｎｔａｎｏｎｅ、ＦＫ５−１−１２）を含む組成物を含み、これは予想外かつ驚くべきことに、迅速かつ効果的に火炎抑制を達成すると同時に、液体抑制剤に関連する問題を回避し、並びに消火アプリケーションにおけるそのような組成物を含有及び／又は使用する方法、システム及び容器を達成する能力を有する。
【００１７】
したがって、本発明は、約２０重量％〜約８０重量％のＨＦＯ−１２３３ｚｄと、約２０重量％〜約８０重量％のＦＫ５−１−１２と、を含む消火剤を含み、ＨＦＯ−１２３３ｚｄ及びＦＫＦ−１−１２の量は共に、好ましくは消火剤の少なくとも約８０重量％を構成する。便宜上、本段落による消火剤は、本明細書では、消火剤１と呼ばれることがある。
【００１８】
したがって、本発明は、約２０重量％〜約８０重量％のＨＦＯ−１２３３ｚｄ（Ｅ）と、約２０重量％〜約８０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約８０重量％を構成する。便宜上、本段落による消火剤は、本明細書では、消火剤１Ａと呼ばれることがある。
【００１９】
本発明はまた、約２０重量％〜約８０重量％のＨＦＯ−１２３３ｚｄと、約２０重量％〜約８０重量％のＦＫ５−１−１２と、を含む消火剤を含み、ＨＦＯ−１２３３ｚｄ及びＦＫＦ−１−１２の量は共に、好ましくは消火剤の少なくとも約９０重量％を構成する。便宜上、本段落による消火剤は、本明細書では、消火剤２と呼ばれることがある。
【００２０】
本発明はまた、約２０重量％〜約８０重量％のＨＦＯ−１２３３ｚｄ（Ｅ）と、約２０重量％〜約８０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約９０重量％を構成する。便宜上、本段落による消火剤は、本明細書では、消火剤２Ａと呼ばれることがある。
【００２１】
本発明はまた、約２０重量％〜約８０重量％のＨＦＯ−１２３３ｚｄと、約２０重量％〜約８０重量％のＦＫ５−１−１２と、を含む消火剤を含み、ＨＦＯ−１２３３ｚｄ及びＦＫＦ−１−１２の量は共に、好ましくは消火剤の少なくとも約９５重量％を構成する。便宜上、本段落による消火剤は、本明細書では、消火剤３と呼ばれることがある。
【００２２】
本発明はまた、約２０重量％〜約８０重量％のＨＦＯ−１２３３ｚｄ（Ｅ）と、約２０重量％〜約８０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約９５重量％を構成する。便宜上、本段落による消火剤は、本明細書では、消火剤３Ａと呼ばれることがある。
【００２３】
本発明はまた、約２０重量％〜約８０重量％のＨＦＯ−１２３３ｚｄ及び約２０重量％〜約８０重量％のＦＫ５−１−１２から本質的になる消火剤を含む。便宜上、本段落による消火剤は、本明細書では、消火剤４と呼ばれることがある。
【００２４】
本発明はまた、約２０重量％〜約８０重量％のＨＦＯ−１２３３ｚｄ（Ｅ）及び約２０重量％〜約８０重量％のＦＫ５−１−１２から本質的になる消火剤を含む。便宜上、本段落による消火剤は、本明細書では、消火剤４Ａと呼ばれることがある。
【００２５】
本発明はまた、約２０重量％〜約８０重量％のＨＦＯ−１２３３ｚｄ及び約２０重量％〜約８０重量％のＦＫ５−１−１２からなる消火剤を含む。便宜上、本段落による消火剤は、本明細書では、消火剤５と呼ばれることがある。
【００２６】
本発明はまた、約２０重量％〜約８０重量％のＨＦＯ−１２３３ｚｄ（Ｅ）及び約２０重量％〜約８０重量％のＦＫ５−１−１２からなる消火剤を含む。便宜上、本段落による消火剤は、本明細書では、消火剤５Ａと呼ばれることがある。
【００２７】
したがって、本発明は、約５０重量％〜約８０重量％のＨＦＯ−１２３３ｚｄと、約２０重量％〜約５０重量％のＦＫ５−１−１２と、を含む消火剤を含み、ＨＦＯ−１２３３ｚｄ及びＦＫＦ−１−１２の量は共に、好ましくは消火剤の少なくとも約８０重量％を構成する。便宜上、本段落による消火剤は、本明細書では、消火剤６と呼ばれることがある。
【００２８】
したがって、本発明は、約５０重量％〜約８０重量％のＨＦＯ−１２３３ｚｄ（Ｅ）と、約２０重量％〜約５０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約８０重量％を構成する。便宜上、本段落による消火剤は、本明細書では、消火剤６Ａと呼ばれることがある。
【００２９】
本発明はまた、約５０重量％〜約８０重量％のＨＦＯ−１２３３ｚｄと、約２０重量％〜約５０重量％のＦＫ５−１−１２と、を含む消火剤を含み、ＨＦＯ−１２３３ｚｄ及びＦＫＦ−１−１２の量は共に、好ましくは消火剤の少なくとも約９０重量％を構成する。便宜上、本段落による消火剤は、本明細書では、消火剤７と呼ばれることがある。
【００３０】
本発明はまた、約５０重量％〜約８０重量％のＨＦＯ−１２３３ｚｄ（Ｅ）と、約２０重量％〜約５０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約９０重量％を構成する。便宜上、本段落による消火剤は、本明細書では、消火剤７Ａと呼ばれることがある。
【００３１】
本発明はまた、約５０重量％〜約８０重量％のＨＦＯ−１２３３ｚｄと、約２０重量％〜約５０重量％のＦＫ５−１−１２と、を含む消火剤を含み、ＨＦＯ−１２３３ｚｄ及びＦＫＦ−１−１２の量は共に、好ましくは消火剤の少なくとも約９５重量％を構成する。便宜上、本段落による消火剤は、本明細書では、消火剤８と呼ばれることがある。
【００３２】
本発明はまた、約５０重量％〜約８０重量％のＨＦＯ−１２３３ｚｄ（Ｅ）と、約２０重量％〜約５０重量％のＦＫ５−１−１２と、を含む消火剤を含み、ＨＦＯ−１２３３ｚｄ（Ｅ）及びＦＫＦ−１−１２の量は共に、好ましくは消火剤の少なくとも約９５重量％を構成する。便宜上、本段落による消火剤は、本明細書では、消火剤８Ａと呼ばれることがある。
【００３３】
本発明はまた、約５０重量％〜約８０重量％のＨＦＯ−１２３３ｚｄ及び約２０重量％〜約５０重量％のＦＫ５−１−１２から本質的になる消火剤を含む。便宜上、本段落による消火剤は、本明細書では、消火剤９と呼ばれることがある。
【００３４】
本発明はまた、約５０重量％〜約８０重量％のＨＦＯ−１２３３ｚｄ（Ｅ）及び約２０重量％〜約５０重量％のＦＫ５−１−１２から本質的になる消火剤を含む。便宜上、本段落による消火剤は、本明細書では、消火剤９Ａと呼ばれることがある。
【００３５】
本発明はまた、約２０重量％〜約８０重量％のＨＦＯ−１２３３ｚｄ及び約２０重量％〜約８０重量％のＦＫ５−１−１２からなる消火剤を含む。便宜上、本段落による消火剤は、本明細書では、消火剤１０と呼ばれることがある。
【００３６】
本発明はまた、約２０重量％〜約８０重量％のＨＦＯ−１２３３ｚｄ（Ｅ）及び約２０重量％〜約８０重量％のＦＫ５−１−１２からなる消火剤を含む。便宜上、本段落による消火剤は、本明細書では、消火剤１０Ａと呼ばれることがある。
【００３７】
本発明はまた、約４０重量％〜約６０重量％のＨＦＯ−１２３３ｚｄ及び約４０重量％〜約６０重量％のＦＫ５−１−１２を含む消火剤を含む。便宜上、本段落による消火剤は、本明細書では、消火剤１１と呼ばれることがある。
【００３８】
本発明はまた、約４０重量％〜約６０重量％のＨＦＯ−１２３３ｚｄ（Ｅ）及び約４０重量％〜約６０重量％のＦＫ５−１−１２を含む消火剤を含む。便宜上、本段落による消火剤は、本明細書では、消火剤１１Ａと呼ばれることがある。
【００３９】
本発明はまた、約４０重量％〜約６０重量％のＨＦＯ−１２３３ｚｄ及び約４０重量％〜約６０重量％のＦＫ５−１−１２から本質的になる消火剤を含む。便宜上、本段落による消火剤は、本明細書では、消火剤１２と呼ばれることがある。
【００４０】
本発明はまた、約４０重量％〜約６０重量％のＨＦＯ−１２３３ｚｄ（Ｅ）及び約４０重量％〜約６０重量％のＦＫ５−１−１２から本質的になる消火剤を含む。便宜上、本段落による消火剤は、本明細書では、消火剤１２Ａと呼ばれることがある。
【００４１】
本発明はまた、約４０重量％〜約６０重量％のＨＦＯ−１２３３ｚｄ及び約４０重量％〜約６０重量％のＦＫ５−１−１２からなる消火剤を含む。便宜上、本段落による消火剤は、本明細書では、消火剤１３と呼ばれることがある。
【００４２】
本発明はまた、約４０重量％〜約６０重量％のＨＦＯ−１２３３ｚｄ（Ｅ）及び約４０重量％〜約６０重量％のＦＫ５−１−１２からなる消火剤を含む。便宜上、本段落による消火剤は、本明細書では、消火剤１３Ａと呼ばれることがある。
【００４３】
本発明はまた、約５０重量％のＨＦＯ−１２３３ｚｄ及び約５０重量％のＦＫ５−１−１２を含む消火剤を含む。便宜上、本段落による消火剤は、本明細書では、消火剤１４と呼ばれることがある。
【００４４】
本発明はまた、約５０重量％のＨＦＯ−１２３３ｚｄ（Ｅ）及び約５０重量％のＦＫ５−１−１２を含む消火剤を含む。便宜上、本段落による消火剤は、本明細書では、消火剤１４Ａと呼ばれることがある。
【００４５】
本発明はまた、約５０重量％のＨＦＯ−１２３３ｚｄ及び約５０重量％のＦＫ５−１−１２から本質的になる消火剤を含む。便宜上、本段落による消火剤は、本明細書では、消火剤１５と呼ばれることがある。
【００４６】
本発明はまた、約５０重量％のＨＦＯ−１２３３ｚｄ（Ｅ）及び約５０重量％のＦＫ５−１−１２から本質的になる消火剤を含む。便宜上、本段落による消火剤は、本明細書では、消火剤１５Ａと呼ばれることがある。
【００４７】
本発明はまた、消火剤１〜１５のうちのいずれかを含む本発明の消火剤を、火炎と接触させることを含む、火炎を抑制する方法を含む。本明細書で使用するとき、消火剤１〜１５への言及は、上記に定義したような消火剤１、１Ａ、２、２Ａ、３、３Ａ、４、４Ａ、５、５Ａ、６、６Ａ、７、７Ａ、８、８Ａ、９、９Ａ、１０、１０Ａ、１１、１１Ａ、１２、１２Ａ、１３、１３Ａ、１４、１４Ａ、１５及び１５Ａのそれぞれを意味する。本発明はまた、消火剤１〜１５のうちのいずれかを含む、本発明の火災消火剤を、火炎の潜在的部位に送達するシステムを提供することを含む、火炎を抑制するためのシステムを含む。
【発明を実施するための形態】
【００４８】
「消火」という用語は、通常、火災の完全な消滅を示すために使用されるのに対して、「抑制」は、火災の低減を示すためにしばしば使用されるが、必ずしも完全な消滅ではない。
【００４９】
本明細書における本発明の説明の目的のために、特定された成分の量に関して「約」という用語は、特定された成分の量が、＋／−１重量％の量で変動し得ることを意味する。本発明の消火剤は、好ましい実施形態では、「約」であるものとして指定された量の特定された化合物又は成分を含み、この量は、特定された量の＋／−０．５重量％、又は＋／−０．３重量％である。
【００５０】
温度に関する「約」という用語は、規定された温度が、＋／−５℃の量で変動し得ることを意味する。好ましい実施形態では、「約」として特定される温度は、指定された温度の＋／−２℃、又は＋／−１℃、又は＋／−０．５℃を含む。
【００５１】
秒で表される時間に関して「約」という用語は、規定の時間が＋／−２秒の量で変動し得ることを意味する。好ましい実施形態では、「約」として特定される時間は、好ましくは、指定された時間の＋／−１秒又は０．５秒を含む。
【００５２】
ｐｓｉで表される圧力に関して「約」という用語は、規定の圧力が＋／−５ｐｓｉの量で変動し得ることを意味する。好ましい実施形態では、「約」として特定される圧力は、好ましくは、指定された圧力の＋／−２ｐｓｉ、又は＋／−１ｐｓｉ、又は＋／−０．５ｐｓｉの圧力を含む。
【００５３】
ＨＦＯ−１２３３ｚｄという用語は、１−クロロ−３，３，３−トリフルオロプロペンを指し、したがって、特に指定がない限り、この用語は、シス異性体（ＨＦＯ−１２３３ｚｄ（Ｚ））、トランス異性体（ＨＦＯ−１２３３ｚｄ（Ｅ））、又はこれらの任意の組み合わせを包含する。
【００５４】
ＨＦＯ−１２３３ｚｄは、特定されていない異性体又は他の不純物を含んでもよく、但し、これらの他の成分は、特定の異性体の特性に材料効果を有しない。
【００５５】
消火剤
本発明は、１−クロロ−３，３，３−トリフルオロプロペン（ＨＦＯ−１２３３ｚｄ）及び１，１，１，２，２，４，５，５，５−ノナフルオロ−４−（トリフルオロメチル）−３−ペンタノン（ＦＫ５−１−１２）を含む消火剤を含む。
【００５６】
ＨＦＯ−１２３３ｚｄは、トランス−ＨＦＯ−１２３３ｚｄから本質的になり得るか、又はＨＦＯ−１２３３ｚｄは、トランス−ＨＦＯ−１２３３ｚｄからなり得る。あるいは、ＨＦＯ−１２３３ｚｄは、シス−ＨＦＯ−１２３３ｚｄから本質的になり得るか、又はＨＦＯ−１２３３ｚｄは、シス−ＨＦＯ−１２３３ｚｄからなり得る。好ましくは、ＨＦＯ−１２３３ｚｄは、トランス−ＨＦＯ−１２３３ｚｄから本質的になり、又はＨＦＯ−１２３３ｚｄは、トランス−ＨＦＯ−１２３３ｚｄからなる。
【００５７】
消火剤は、本明細書の広範な教示内の広範な量でＨＦＯ−１２３３ｚｄ及びＦＫ５−１−１２を含んでもよく、当業者であれば、本明細書に含まれる教示を使用して、任意の特定の必要性を最良に満たす特定の比率を選択することができることが理解されるであろう。例えば、消火剤は、少なくとも約５重量％、好ましくは少なくとも約７重量％、より好ましくは少なくとも約１０重量％のＦＫ５−１−１２を含んでもよい。
【００５８】
例えば、ＦＫ５−１−１２は、消火剤中に、約５重量％〜約９５重量％の量で、又は約１０重量％〜約９０重量％の量で、又は約２０重量％〜約８０重量％の量で、約３０重量％〜約７０重量％の量で、又は約４０重量％〜約６０重量％の量で、又は約４５重量％〜約５５重量％の量で存在してもよい。
【００５９】
消火剤は、ＨＦＯ−１２３３ｚｄを、約５重量％〜約９５重量％の量で、又は約１０重量％〜約９０重量％の量で、又は約２０重量％〜約８０重量％の量で、約３０重量％〜約７０重量％の量で、又は約４０重量％〜約６０重量％の量で、又は約４５重量％〜約５５重量％の量で含んでもよい。消火剤は、ＨＦＯ−１２３３ｚｄ及びＦＫ５−１−１２から本質的になり得るか、又は消火剤は、ＨＦＯ−１２３３ｚｄ及びＦＫ５−１−１２からなり得る。
【００６０】
したがって、本開示は、ＨＦＯ−１２３３ｚｄ及びＦＫ５−１−１２から本質的になる消火剤を含み、ＦＫ５−１−１２は、消火剤の少なくとも約５重量％の量で、好ましくは少なくとも約７重量％の量で、より好ましくは少なくとも約１０重量％の量で存在する。ＨＦＯ−１２３３ｚｄは、トランス−ＨＦＯ−１２３３ｚｄから本質的になり得るか、又はシス−ＨＦＯ−１２３３ｚｄから本質的になり得る。好ましくは、ＨＦＯ−１２３３ｚｄは、トランス−ＨＦＯ−１２３３ｚｄから本質的になる。
【００６１】
本開示はまた、ＨＦＯ−１２３３ｚｄ及びＦＫ５−１−１２から本質的になる消火剤を提供し、ＦＫ５−１−１２は、消火剤の約５重量％〜約９５重量％の量で、又は約１０重量％〜約９０重量％の量で、又は約２０重量％〜約８０重量％の量で、約３０重量％〜約７０重量％の量で、又は約４０重量％〜約６０重量％の量で、又は約４５重量％〜約５５重量％の量で存在する。ＨＦＯ−１２３３ｚｄは、トランス−ＨＦＯ−１２３３ｚｄから本質的になり得るか、又はシス−ＨＦＯ−１２３３ｚｄから本質的になり得る。好ましくは、ＨＦＯ−１２３３ｚｄは、トランス−ＨＦＯ−１２３３ｚｄから本質的になる。
【００６２】
出願人らは、特に消火剤１〜１５を含む、本明細書に記載のＨＦＯ−１２３３ｚｄ及びＦＫ５−１−１２の量を有する本発明の消火剤を使用することによって、非常に望ましい及び予想外の特性の組み合わせが達成され得ることを見出した。例えば、消火剤１〜１５に記載の好ましい実施形態では、指定した成分の相対比率は、優れた急速消火特性を有する消火剤を可能にすると同時に、少なくとも主に蒸気として、更により好ましくは実質的に完全に蒸気として、ほぼ大気圧条件に送達可能である。
【００６３】
本発明は、ＨＦＯ−１２３３ｚｄ及びＦＫ５−１−１２に加えて、１つ以上の更なる化合物を含み得る消火剤を含む。例えば、消火剤は、わずかな比率で、例えば、約２０重量％未満、又は約５重量％未満、又は約２重量％未満、又は約１重量％未満の量で他の成分を含んでもよく、好ましくはこれらの他の成分は、消火剤の新規かつ基本的な特性を打ち消さない。１つ以上の更なる化合物は、好ましい実施形態では、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ及びＣＦ３Ｉからなる群から選択されてもよい。
【００６４】
例えば、消火剤は、ＨＦＯ−１２３３ｚｄ、ＦＫ５−１−１２を含んでもよく、１つ以上の更なる化合物は、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ及びＣＦ３Ｉからなる群から選択されてもよく、ＨＦＯ−１２３３ｚｄは、消火剤の約５重量％〜約９５重量％の量で、若しくは約１０重量％〜約９０重量％の量で、若しくは約２０重量％〜約８０重量％の量で、約３０重量％〜約７０重量％の量で、若しくは約４０重量％〜約６０重量％の量で、若しくは約４５重量％〜約５５重量％の量で存在し、及び／又はＦＫ５−１−１２は、消火剤の約５重量％〜約９５重量％の量で、若しくは約１０重量％〜約９０重量％の量で、若しくは約２０重量％〜約８０重量％の量で、約３０重量％〜約７０重量％の量で、若しくは約４０重量％〜約６０重量％の量で、若しくは約４５重量％〜約５５重量％の量で存在し、好ましくは、そのような場合のそれぞれにおいて、ＨＦＯ−１２３３ｚｄ及びＦＫ５−１−１２は共に、消火剤の少なくとも約８０重量％を構成する。
【００６５】
消火剤は、約５００以下、好ましくは約３００以下、より好ましくは約１５０以下の地球温暖化係数（ＧＷＰ）を有し得る。好ましくは、組成物は、約１５０以下のＧＷＰを有する。
【００６６】
消火剤は、約０．０２以下、好ましくは約０．０１以下のオゾン破壊係数を有し得る。
【００６７】
沸点
本明細書の消火剤１〜１０のうちのいずれかを含む本発明の消火剤は、ほぼ大気圧で（すなわち、約１ａｔｍで）約４０℃未満、好ましくは約４０℃未満、又は約３５℃未満、又は約３０℃未満、又は約２５℃未満の沸点を有し得る。消火剤が温度の範囲にわたってほぼ一定の大気圧で沸騰する場合、「沸点」という用語は、組成物の露点及び気泡温度の中点を指す。
【００６８】
消火速度
消火剤１〜１５を含む本発明の好ましい消火剤は、空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を予想外に有する。
【００６９】
本発明の消火剤１〜１５を含む消火剤及び方法は、空気中に約６体積％以下の濃度で存在するとき、約１００°Ｆの試験温度及び約９０％以下の相対湿度で約２０秒以下の（実施例を含む、本明細書に記載の手順に従って測定される）消火速度をもたらす能力を予想外に有する。
【００７０】
本発明の消火剤１〜１５を含む消火剤及び方法は、空気中に約６体積％以下の濃度で存在するとき、約１００°Ｆの試験温度及び約９０％以下の相対湿度で約１５秒以下の（実施例を含む、本明細書に記載の手順に従って測定される）消火速度をもたらす能力を予想外に有する。
【００７１】
本発明は、（ｉ）約４０℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００７２】
本発明は、（ｉ）約３０℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００７３】
本発明は、（ｉ）約２５℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００７４】
本発明は、（ｉ）約４０℃未満の沸点を有し、（ｉｉ）空気中に約６体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００７５】
本発明は、（ｉ）約３０℃未満の沸点を有し、（ｉｉ）空気中に約６体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００７６】
本発明は、（ｉ）約２５℃未満の沸点を有し、（ｉｉ）空気中に約６体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００７７】
本発明は、（ｉ）約４０℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００７８】
本発明は、（ｉ）約３０℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００７９】
本発明は、（ｉ）約２５℃未満の沸点を有し、（ｉｉ）空気中に約６体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００８０】
本発明は、（ｉ）約４０℃未満の沸点を有し、（ｉｉ）空気中に約６体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００８１】
本発明は、（ｉ）約３０℃未満の沸点を有し、（ｉｉ）空気中に約６体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００８２】
本発明は、（ｉ）約２５℃未満の沸点を有し、（ｉｉ）空気中に約６体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００８３】
消火剤１〜１５を含む本発明の好ましい消火剤は、空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を予想外に有する。
【００８４】
本発明の消火剤１〜１５を含む消火剤及び方法は、空気中に約５体積％以下の濃度で存在するとき、約１００°Ｆの試験温度及び約９０％以下の相対湿度で約２０秒以下の（実施例を含む、本明細書に記載の手順に従って測定される）消火速度をもたらす能力を予想外に有する。
【００８５】
本発明の消火剤１〜１５を含む消火剤及び方法は、空気中に約５体積％以下の濃度で存在するとき、約１００°Ｆの試験温度及び約９０％以下の相対湿度で約１５秒以下の（実施例を含む、本明細書に記載の手順に従って測定される）消火速度をもたらす能力を予想外に有する。
【００８６】
本発明は、（ｉ）約４０℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００８７】
本発明は、（ｉ）約３０℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００８８】
本発明は、（ｉ）約２５℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００８９】
本発明は、（ｉ）約４０℃未満の沸点を有し、（ｉｉ）空気中に約５体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００９０】
本発明は、（ｉ）約３０℃未満の沸点を有し、（ｉｉ）空気中に約５体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００９１】
本発明は、（ｉ）約２５℃未満の沸点を有し、（ｉｉ）空気中に約５体積％以下の濃度で存在するとき、約１００°Ｆの試験温度及び約９０％以下の相対湿度で約２０秒以下の（実施例を含む、本明細書に記載の手順に従って測定される）消火速度をもたらす能力を有する、消火剤１〜１５を含む本発明の消火剤のうちのいずれかを含む。
【００９２】
本発明は、（ｉ）約４０℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００９３】
本発明は、（ｉ）約３０℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００９４】
本発明は、（ｉ）約２５℃未満の沸点を有し、（ｉｉ）空気中に約５体積％以下の濃度で存在するとき、約１００°Ｆの試験温度及び約９０％以下の相対湿度で約３０秒以下の（実施例を含む、本明細書に記載の手順に従って測定される）消火速度をもたらす能力を有する、消火剤１〜１５を含む本発明の消火剤のうちのいずれかを含む。
【００９５】
本発明は、（ｉ）約４０℃未満の沸点を有し、（ｉｉ）空気中に約５体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００９６】
本発明は、（ｉ）約３０℃未満の沸点を有し、（ｉｉ）空気中に約５体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００９７】
本発明は、（ｉ）約２５℃未満の沸点を有し、（ｉｉ）空気中に約５体積％以下の濃度で存在するとき、約１００°Ｆの試験温度及び約９０％以下の相対湿度で約１５秒以下の（実施例を含む、本明細書に記載の手順に従って測定される）消火速度をもたらす能力を有する、消火剤１〜１５を含む本発明の消火剤のうちのいずれかを含む。
【００９８】
組成物
本開示は、消火剤１〜１５のうちのいずれかを含む、本発明による消火剤のうちのいずれかを含む、組成物を提供する。
【００９９】
組成物は、消火剤１〜１５のうちのいずれかを含む、本発明の消火剤の少なくとも約７０重量％、好ましくは少なくとも約９０重量％、より好ましくは少なくとも約９５％を構成し得る。
【０１００】
組成物は、噴射剤を含んでもよい。噴射剤は、消火される火災の場所に保管される容器から消火剤を噴射するために使用されてもよい。好ましくは、噴射剤は、アルゴン（ａｒｇｏｎ、Ａｒ）、窒素（ｎｉｔｒｏｇｅｎ、Ｎ２）、ヘリウム（ｈｅｌｉｕｍ、Ｈｅ）、二酸化炭素（ｃａｒｂｏｎ  ｄｉｏｘｉｄｅ、ＣＯ２）、及びこれらの組み合わせからなる群から選択される。より好ましくは、噴射剤は、Ａｒ及びＮ２から選択される。
【０１０１】
組成物は、１種以上の解毒剤を含んでもよい。解毒剤は、約０．１重量％〜約１０重量％の量で組成物中に存在してもよい。１種以上の解毒剤は、シトラール、リモネン、テルピネン、サビエン、オシメン、β−ピネン、フィトール、スクアレン、オレアノール酸、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカン酸（ｌｉｎｃａｎｉｃ  ａｃｉｄ）、ペトロセレン酸、シトロネロール、メントール、シルベスト、ジンジベレン、α−ピネン、カンファー、アビエチン酸、サポニン、β−カロテン、パラ−シメーム、リノレン酸、リシノール酸、バクセン酸、及びこれらの組み合わせからなる群から選択されてもよく、好ましくは１種以上の解毒剤は、リモネンである。
【０１０２】
組成物は、消火剤、噴射剤、及び任意に上記に定義したような１種以上の解毒剤から本質的になってもよい。
【０１０３】
方法及びシステム
本開示は、火炎を消火する方法、又は火炎を抑制する方法を提供する。本方法は、火炎を、消火剤１〜１５のうちのいずれかを含む本発明の消火剤と接触させる工程を含む。
【０１０４】
あるいは、本方法は、火炎を、消火剤１〜１５のうちのいずれかを含む本発明の消火剤を含む組成物と接触させる工程を含む。組成物は、消火剤１〜１５のうちのいずれかを含む、本発明の消火剤の少なくとも約７０重量％、好ましくは少なくとも約９０重量％、より好ましくは少なくとも約９５重量％を構成し得る。
【０１０５】
組成物は、噴射剤を含んでもよい。噴射剤は、消火される火災の場所に保管される容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１０６】
組成物は、１種以上の解毒剤を含んでもよい。解毒剤は、約０．１重量％〜約１０重量％の量で組成物中に存在してもよい。１種以上の解毒剤は、シトラール、リモネン、テルピネン、サビエン、オシメン、β−ピネン、フィトール、スクアレン、オレアノール酸、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカン酸（ｌｉｎｃａｎｉｃ  ａｃｉｄ）、ペトロセレン酸、シトロネロール、メントール、シルベスト、ジンジベレン、α−ピネン、カンファー、アビエチン酸、サポニン、β−カロテン、パラ−シメーム、リノレン酸、リシノール酸、バクセン酸、及びこれらの組み合わせからなる群から選択されてもよく、好ましくは１種以上の解毒剤は、リモネンである。
【０１０７】
組成物は、消火剤１〜１５のうちのいずれかを含む、本発明の消火剤、噴射剤及び任意に上記に定義したような１種以上の解毒剤から本質的になってもよい。
【０１０８】
消火剤１〜１５のうちのいずれかを含む、本発明の消火剤、又は消火剤１〜１５のうちのいずれかを含む、本発明の消火剤を含む組成物は、火炎上に噴霧又は注入されてもよいことが理解されるであろう。あるいは、火炎の少なくとも一部分は、消火剤１〜１５のうちのいずれかを含む、本発明の消火剤、又は消火剤１〜１５のうちのいずれかを含む、本発明の消火剤を含む組成物に浸漬されてもよい。
【０１０９】
消火剤１〜１５のうちのいずれかを含む、本発明の消火剤は、トータルフラッディングアプリケーションにおいて、及びストリーミングアプリケーションにおいて使用することができる。
【０１１０】
トータルフラッディングアプリケーション
本開示は、トータルフラッディングアプリケーションにおいて火炎を消火するための方法を提供する。トータルフラッディングアプリケーションを使用して、閉鎖領域内の火炎を消火するか、又は閉鎖領域を不活性化することができ、それによって火炎が伝播することを防止する。トータルフラッディングアプリケーションにおいて、消火剤１〜１５のうちのいずれかを含む、本発明の消火剤は、閉鎖領域に放出される。次いで、消火剤は分散し、最初に液体である場合は蒸発して、空気及び気体消火剤の混合物を形成する。消火の成功は、消火剤が最小消火濃度（ｍｉｎｉｍｕｍ  ｅｘｔｉｎｇｕｉｓｈｉｎｇ  ｃｏｎｃｅｎｔｒａｔｉｏｎ、ＭＥＣ）を超えると発生し、それによって火炎消火を引き起こす。しかしながら、低酸素症、消火剤毒性、又は両方に起因して人々にとって有害な空気／消火剤雰囲気の生成を防止するために、過剰量の消火剤を使用することを回避することが望ましい。また、効率的かつ急速な消火が低コストで達成されることも望ましく、これは一般的に、低いＭＥＣ値を有する消火剤によって、並びに処理されている領域及び／若しくは処理されている領域内の物品に損傷をほとんど若しくは全くもたらさず、かつ／又は火災が消火されると、放出された液体消火剤をその領域から除去することをほとんど若しくは全く必要としない消火剤によって有益になる傾向がある。消火剤１〜１５を含む本発明の消火剤、並びに消火剤１〜１５を使用するものを含む本発明の好ましい方法及びシステムは、驚くべきことに、この特性と性能利点との達成困難な組み合わせを達成することができる。
【０１１１】
閉鎖領域内の火炎を消火するための方法が提供され、この方法は、
【０１１２】
任意に、閉鎖領域内の火炎を検出する工程と、
【０１１３】
消火剤１〜１５のうちのいずれかを含む本発明の消火剤、又は消火剤１〜１５のうちのいずれかを含む本発明の消火剤を含む組成物を閉鎖領域に放出することによって、火炎を消火する。
【０１１４】
消火剤１〜１５のうちのいずれかを含む、本発明の消火剤は、火炎を消火するのに十分な量で閉鎖領域に放出され得る。好ましくは、火炎は、最初に消火剤が閉鎖領域に放出された時点から測定して、約６０秒以内、より好ましくは約３０秒以内、より好ましくは約２０秒以内に消火される。好ましくは、消火剤は、約２０秒以内、より好ましくは約１０秒以内に放出される。
【０１１５】
本方法は、消火剤１〜１５のうちのいずれかを含む本発明の消火剤を、閉鎖領域に導入することを含み、閉鎖領域内の温度は、少なくとも約１５℃（５９°Ｆ）、少なくとも約２０℃（６８°Ｆ）、少なくとも約２５℃（７７°Ｆ）、又は少なくとも約３０℃（８６°Ｆ）、又は少なくとも約３８℃（１００°Ｆ）である。
【０１１６】
本方法は、消火剤１〜１５のうちのいずれかを含む本発明の消火剤を、少なくとも約２０％、又は少なくとも約３５％、又は少なくとも約５０％、又は少なくとも約６５％、又は少なくとも約８０％の相対湿度（ｒｅｌａｔｉｖｅ  ｈｕｍｉｄｉｔｙ、ＲＨ）を有する閉鎖領域に導入することを含む。
【０１１７】
本方法は、消火剤１〜１５のうちのいずれかを含む本発明の消火剤を、閉鎖領域内に導入することを含み、（ｉ）閉鎖領域内の温度は、少なくとも約２５℃（７７°Ｆ）であり、（ｉｉ）閉鎖領域内の相対湿度（ＲＨ）は、少なくとも約５０％である。
【０１１８】
本方法は、消火剤１〜１５のうちのいずれかを含む本発明の消火剤を、閉鎖領域に導入することを含み、（ｉ）閉鎖領域内の温度は、少なくとも約３０℃（８６°Ｆ）であり、（ｉｉ）閉鎖領域内の相対湿度（ＲＨ）は、少なくとも約５０％である。
【０１１９】
本方法は、消火剤１〜１５のうちのいずれかを含む本発明の消火剤を、閉鎖領域に導入することを含み、（ｉ）閉鎖領域内の温度は、少なくとも約３０℃（８６°Ｆ）であり、（ｉｉ）閉鎖領域内の相対湿度（ＲＨ）は、少なくとも約６５％である。
【０１２０】
本方法は、消火剤１〜１５のうちのいずれかを含む本発明の消火剤を、閉鎖領域に導入することを含み、（ｉ）閉鎖領域内の温度は、少なくとも約３０℃（８６°Ｆ）であり、（ｉｉ）閉鎖領域内の相対湿度（ＲＨ）は、少なくとも約８０％である。
【０１２１】
本開示はまた、閉鎖領域内の火災を防止する方法（すなわち、不活性化する方法）も提供する。したがって、火災を防止する方法が提供され、この方法は、消火剤１〜１５のうちのいずれかを含む本発明の消火剤、又は消火剤１〜１５のうちのいずれかを含む本発明の消火剤を含む組成物を、閉鎖領域に放出する工程を含む。不活性化方法では、消火剤は、消火剤１〜１５のうちのいずれかを含む、本発明の消火剤のうちのいずれかであってもよい。消火剤１〜１５のうちのいずれかを含む、本発明の消火剤は、そのような不活性化方法で、火炎が伝播するのを防止するのに十分な量で閉鎖領域に放出され得る。好ましくは、火炎は、消火剤が最初に閉鎖領域に放出されてから約６０秒以内、より好ましくは約３０秒以内に消火される。好ましくは、消火剤は、約２０秒以内、より好ましくは約１０秒以内に放出される。閉鎖領域内の温度は、少なくとも約１５℃、少なくとも約２０℃、少なくとも約２５℃、又は少なくとも約３０℃であってもよい。閉鎖領域内の相対湿度（ＲＨ）は、少なくとも約２０％、好ましくは少なくとも約３５％、好ましくは少なくとも約５０％、より好ましくは少なくとも約６５％、より好ましくは少なくとも約８０％であってもよい。
【０１２２】
火炎を消火する方法、又は不活性化する方法のいずれかのための閉鎖領域は、建築物若しくは構造物、船舶、自動車若しくは鉄道車両、宇宙機、又は航空機の一部（若しくは全体）であってもよい。「建築物又は構造物」という用語は、永久的及び半永久的建築物又は構造物の両方を包含し、住宅、商業的、又は工業的建築物又は構造物であってもよい。例えば、閉鎖領域は、保管庫、コンピュータルーム（例えば、コンピュータサーバルーム）、航空機キャビン又はコックピット、船舶、自動車、鉄道車両、宇宙機、又は航空機のエンジンコンパートメント、博物館、図書館、文書アーカイブ、石油パイプラインポンピングステーション、航空機又は水容器の荷物室などであってもよい。
【０１２３】
したがって、上記の方法を使用して、閉鎖領域内に収容された貴重品、水の損傷を受けやすい品目、又は可燃性材料（例えば、可燃性ガス又は液体を含む容器）を火災から保護することができる。
【０１２４】
本開示は、トータルフラッディングシステムを提供する。トータルフラッディングシステムは、閉鎖領域（複数可）（１）と、消火剤１〜１５のうちのいずれかを含む、本発明の消火剤を含む１つ以上の容器（複数可）（２）と、分配配管ネットワーク（３）と、分配配管ネットワーク（３）から閉鎖領域（複数可）（１）に消火剤を送達するためのオリフィス（ノズル又はスプリンクラーなど）（４）とを含む。システムは、任意に、閉鎖領域（複数可）（１）内の火災を検出するための１つ以上の検出器（複数可）（５）を含んでもよい。システムはまた、検出制御システム（６）及び／又はアラーム（７）を備えてもよい。検出制御システム（６）は、１つ以上の容器（複数可）（２）と連通していてもよく、これにより、火災が検出されると、検出制御システム（６）は、消火剤を１つ以上の容器（複数可）（２）から放出させる。
【０１２５】
このようなトータルフラッディングシステムでは、消火剤１〜１５のうちのいずれかを含む、本発明の消火剤を使用することができる。容器は、消火剤１〜１５のうちのいずれかを含む、本発明の消火剤を含んでもよく、少なくとも約７０重量％、好ましくは少なくとも約９０重量％、より好ましくは少なくとも約９５重量％の量で使用することができる。
【０１２６】
容器は、追加的に噴射剤を含んでもよい。噴射剤は、容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１２７】
容器は、２１℃で約８０〜約８００ｐｓｉの圧力に加圧され得る。
【０１２８】
容器は、代替的に又は追加的に、１種以上の解毒剤を含んでもよい。解毒剤は、約０．１重量％〜約１０重量％の量で容器内に存在してもよい。１種以上の解毒剤は、シトラール、リモネン、テルピネン、サビエン、オシメン、β−ピネン、フィトール、スクアレン、オレアノール酸、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカン酸（ｌｉｎｃａｎｉｃ  ａｃｉｄ）、ペトロセレン酸、シトロネロール、メントール、シルベスト、ジンジベレン、α−ピネン、カンファー、アビエチン酸、サポニン、β−カロテン、パラ−シメーム、リノレン酸、リシノール酸、バクセン酸、及びこれらの組み合わせからなる群から選択されてもよく、好ましくは１種以上の解毒剤は、リモネンである。
【０１２９】
ストリーミングアプリケーション
本開示はまた、ストリーミングアプリケーションを使用して火炎を消火するための方法を提供する。
【０１３０】
したがって、本開示は、ストリーミングアプリケーションにおいて火炎を抑制又は消火するための方法に関し、この方法は、
【０１３１】
本明細書に開示される消火剤、又は本明細書に開示される消火剤を含む組成物を含む容器を、火炎付近に輸送する工程であって、当該容器が、消火剤又は組成物を放出することが可能である、工程と、
【０１３２】
消火剤又は組成物を、火炎周囲の領域に放出することによって、火炎を抑制又は消火する工程と、を含む。
【０１３３】
ストリーミングアプリケーションに関しては、消火剤１〜１５のうちのいずれかを含む、本発明の任意の消火剤を使用してもよく、又は消火剤１〜１５のうちのいずれかを含む、本発明の任意の消火剤を含む組成物を使用してもよい。組成物は、本発明の消火剤の少なくとも約７０重量％、好ましくは少なくとも約９０重量％、より好ましくは少なくとも約９５重量％を構成し得る。
【０１３４】
組成物は、噴射剤を含んでもよい。噴射剤は、消火される火災の場所に保管される容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１３５】
組成物は、１種以上の解毒剤を含んでもよい。解毒剤は、約０．１重量％〜約１０重量％の量で組成物中に存在してもよい。１種以上の解毒剤は、シトラール、リモネン、テルピネン、サビエン、オシメン、β−ピネン、フィトール、スクアレン、オレアノール酸、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカン酸（ｌｉｎｃａｎｉｃ  ａｃｉｄ）、ペトロセレン酸、シトロネロール、メントール、シルベスト、ジンジベレン、α−ピネン、カンファー、アビエチン酸、サポニン、β−カロテン、パラ−シメーム、リノレン酸、リシノール酸、バクセン酸、及びこれらの組み合わせからなる群から選択されてもよく、好ましくは１種以上の解毒剤は、リモネンである。
【０１３６】
組成物は、消火剤、噴射剤、及び任意に上記に定義したような１種以上の解毒剤から本質的になってもよい。
【０１３７】
本開示はまた、本明細書に開示される消火剤を含む容器を提供する。消火剤は、本明細書に記載される消火剤のうちのいずれかであってもよい。容器は、消火剤を放出するように構成される。消火剤は、火炎を取り囲む領域に噴霧又は注入されてもよい。
【０１３８】
消火剤は手動で排出されてもよく、又は容器から自動的に排出されてもよい。例えば、シリンダは、作動されると消火剤又は消火剤を含む組成物をシリンダから放出する弁アセンブリを含んでもよい。
【０１３９】
容器は、少なくとも約７０重量％、好ましくは少なくとも約９０重量％、より好ましくは少なくとも約９５重量％の消火剤を含んでもよい。
【０１４０】
容器は、噴射剤を含んでもよい。噴射剤は、容器から消火される火災の場所に消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１４１】
容器は、２１℃で約８０〜約８００ｐｓｉの圧力に加圧され得る。
【０１４２】
容器は、１種以上の解毒剤を含んでもよい。解毒剤は、約０．１重量％〜約１０重量％の量で容器内に存在してもよい。１種以上の解毒剤は、シトラール、リモネン、テルピネン、サビエン、オシメン、β−ピネン、フィトール、スクアレン、オレアノール酸、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカン酸（ｌｉｎｃａｎｉｃ  ａｃｉｄ）、ペトロセレン酸、シトロネロール、メントール、シルベスト、ジンジベレン、α−ピネン、カンファー、アビエチン酸、サポニン、β−カロテン、パラ−シメーム、リノレン酸、リシノール酸、バクセン酸、及びこれらの組み合わせからなる群から選択されてもよく、好ましくは１種以上の解毒剤は、リモネンである。
【０１４３】
容器は、消火剤、噴射剤、及び任意に上記に定義したような１種以上の解毒剤から本質的になってもよい。
【０１４４】
容器は、手持ち式消火器であってもよい。
【０１４５】
試験
クラスＢ試験火災を消火するために、ＮＦＰＡ−２００１、２０１５版のＡｎｎｅｘ  Ｂに設定されたカップバーナー法を使用して、最小消火濃度（ＭＥＣ）を決定することができる。
【０１４６】
多くの国内及び国際規格は、小さい過剰量を乗じた（例えば、１．３を乗じた）ＭＥＣに等しい最小設計濃度（Ｍｉｎｉｍｕｍ  Ｄｅｓｉｇｎ  Ｃｏｎｃｅｎｔｒａｔｉｏｎ、ＭＤＣ）を設定し、それによって、この量に通じる安全マージンを有する濃度をもたらすことが理解されるであろう。
【０１４７】
本明細書に開示される消火剤の、高温（例えば、約２５℃以上、若しくは約３０℃以上の温度）、及び／又は高湿度（例えば、少なくとも約２０％の相対湿度、好ましくは少なくとも約３５％、好ましくは少なくとも約５０％、より好ましくは少なくとも約６５％、より好ましくは少なくとも約８０％）で効果的に機能する能力は、本明細書において「密閉ドラム試験」と称される以下の方法を使用して決定することができる。
【０１４８】
装置
１  ドラム、開放ヘッド、５５ｇａｌ（２０８ｄｍ３）を以下のように改変した。
【０１４９】
１．１  開放ドラムヘッド上にクロージャをフィットさせる。クロージャは、ヒンジ付きの蓋（図２）、又は厚さ１／２ミル（０．０１２７ｍｍ）のポリアミドフィルムのいずれかであってもよい。フィルムを使用する場合、フィルムを以下のように適用する。
【０１５０】
１．１．１  フィルムをドラムの開放端部の上に延伸させ、それを強力なゴムバンドによって定位置に保持し、これが、１ｌｂ（０．４５ｋｇ）の塊をドラムの周囲の最低点から吊るしたときに、１インチ（２５ｍｍ）伸張する。
【０１５１】
１．１．２  ドラムの頂部から２インチ（５１ｍｍ）の点で始まる、フィルムの１インチ（２５ｍｍ）垂直スリットを切断する。
【０１５２】
１．１．３  フィルムを開口部の上に引き寄せる。
【０１５３】
１．２  ドラムがその側部にあるとき、穴が頂部にあるような位置に、基部を通る直径１インチ（２５ｍｍ）、縁部から約２インチ（５１ｍｍ）の円形開口部を穴あけする。
【０１５４】
１．３  長さ４インチ（１０２ｍｍ）、幅４インチ（１０２ｍｍ）、及び厚さ少なくとも１／１６インチ（１．６ｍｍ）の金属基部の上に、内径３インチ（７６ｍｍ）及び長さ４インチ（１０２ｍｍ）を有するパイプを溶接する。
【０１５５】
１．４  任意に、６インチ（１５２ｍｍ）平方の開口部は、ドラム基部の中心を通って切断され、安全ガラス片でしっかりと覆われてもよい。
【０１５６】
方法
２．１  容器に消火剤及び窒素ガスを１２５ｐｓｉの圧力まで充填する。容器は、容器に取り付けられ得る内径１／８インチ（３．２ｍｍ）の短長の管を有し、それを通って消火剤が放出され得る。
【０１５７】
２．２  ドラムをその側部に置き（図２）、ドラムが含まれる部屋の温度を所望のレベルに調節する。
【０１５８】
２．３  パイプが溶接されるプレートの中心が、ドラムの各端部から半周方向に位置付けられることを確実にする。
【０１５９】
２．４  １インチ（２５ｍｍ）の水及び９９％の最小純度を有する２５ｍＬのｎ−ヘプタンを、金属基部に溶接されたパイプによって作り出されたカップに添加する。
【０１６０】
２．５  ホットプレートをドラム内に置き、次いで、熱湯のビーカーをホットプレート上に置く。所望の湿度を提供するために水を沸騰させる。相対湿度はプローブを使用して測定され、絶対湿度はこの値から計算される。
【０１６１】
２．６  パイプ内の燃料に直ちに点火し、クロージャを固定する。（フィルムクロージャが使用される場合、１インチ（２５ｍｍ）の円形開口部を通るテーパによって燃料に着火する）
【０１６２】
２．７  容器を振とうし、容器を直立させるか、又は必要に応じて液体内容物をドラム内に直接噴霧することができるような位置に保持する。容器は、ドラムへの全電荷を放出するように構成される。
【０１６３】
２．８  可能な限り迅速に、ディスペンサを１インチ（２５ｍｍ）の開口部に置き、ドラム内に直接噴霧し、火災が消火するか又は１２０秒までの期間のどちらかが最初に発生するまで、反対端部の中心に向けて噴霧を配向する。時間期間の測定（以下の表に報告されるように）は、消火剤が最初にドラム内に放出されたときに始まり、火災の消火で終了するか、又は別の方法で表に報告されるように終了する。
【０１６４】
２．９  各試験後、ドラムを開いて大気を一掃し、今後の試験に影響を及ぼし得る任意の残留物をドラムから清浄する。
【０１６５】
図面の説明
図１は、本発明の消火剤を使用した例示的なトータルフラッディングシステムを示す。
【０１６６】
消火剤は、１つ以上の容器（複数可）（２）内の閉鎖領域（複数可）（１）の外部に保管されてもよい。１つ以上の容器（複数可）（２）は、分配配管ネットワーク（３）に接続され、これにより、消火剤が閉鎖領域（複数可）（１）に送達されることを可能にする。消火剤は、分配配管ネットワーク（３）から、ノズル又はスプリンクラー（４）を介して閉鎖領域（複数可）（１）に送達され得る。
【０１６７】
トータルフラッディングシステムは、追加的に、閉鎖領域（複数可）（１）内の火災を検出するための１つ以上の検出器（５）を備えてもよい。
【０１６８】
トータルフラッディングシステムはまた、検出制御システム（６）及び／又はアラーム（７）を備えてもよい。検出制御システム（６）は、１つ以上の容器（複数可）（２）と連通していてもよく、これにより、火災が検出されると、検出制御システム（６）は、消火剤を１つ以上の容器（複数可）（２）から放出させる。
【０１６９】
容器（２）は、追加的に噴射剤を含んでもよい。噴射剤は、Ａｒ、Ｎ２、Ｈｅ、ＣＯ２、及びこれらの組み合わせからなる群から選択され得る。噴射剤は、容器を加圧するために使用され得る。容器（２）は、２１℃で約８０〜約８００ｐｓｉの圧力に加圧され得る。
【０１７０】
例えば、閉鎖領域（複数可）（１）内に火災が存在する場合、又は閉鎖領域（複数可）（１）が不活性化される場合、本発明の消火剤は、１つ以上の容器（複数可）（２）から分配配管ネットワーク（３）に排出されてもよい。次いで、消火剤は、分配配管ネットワーク（３）を通って移動し、次いで、ノズル又はスプリンクラー（４）を通って閉鎖領域（複数可）（１）に送達される。
【０１７１】
図２は、本明細書に記載される「密閉ドラム試験」で使用され得る密閉ドラムの概略図である。
【実施例】
【０１７２】
実施例１
ＨＦＯ−１２３３ｚｄ（Ｅ）の最小消火濃度（ＭＥＣ）は、クラスＢ試験火災を消火するためにＮＦＰＡ−２００１、２０１５版のＡｎｎｅｘ  Ｂに設定されたカップバーナー法を使用して決定した。４０リットル／分の空気流量を用いた。
【０１７３】
燃料は、商用グレードのｎ−ヘプタン（最低９０℃の初期沸点、１００℃の最大乾燥点、及び０．６９〜０．７３の比重）であった。ＨＦＯ−１２３３ｚｄ（Ｅ）は、＞９９．８％の純度を有していた。
【０１７４】
周囲実験室温度（２３℃±２℃）で試験を行い、カップ内の燃料を周囲実験室温度（２３℃±２℃）にした。
【０１７５】
ＨＦＯ−１２３３ｚｄ（Ｅ）のＭＥＣは、空気中６．５体積％であると決定された。
【０１７６】
実施例２
出願人らは、ＨＦＯ−１２３３ｚｄ（Ｅ）及びＦＫ５−１−１２の様々な混合物が、大気圧で実質的に蒸気の形態で、消火又は不活性化を必要とし得る潜在的な空間に放出する能力を評価する実験を実施した。この実験作業に基づいて、混合物の少なくとも約２０％がＨＦＯ−１２３３ｚｄ（Ｅ）である、ＨＦＯ−１２３３ｚｄ（Ｅ）とＦＫ５−１−１２との混合物は、実質的に蒸気としてのみ分配されると、火災消火剤が空間に導入される、及び／又は空間内に存在することを確実にするために必要とされる。特定の好ましい実施形態では、混合物の沸点は、約２５℃以下であり、これは分注されると空間に導入される、及び／又は空間中に存在する液体の量を最小化するように作用し、出願人らは、混合物の少なくとも約２０％がＨＦＯ−１２３３ｚｄ（Ｅ）である、ＨＦＯ−１２３３ｚｄ（Ｅ）及びＦＫ５−１−１２からなる混合物がこの結果を達成することを見出した。
【０１７７】
実施例３
上記の「密閉ドラム試験」は、火災抑制性能のために、ＨＦＯ−１２３３ｚｄ（Ｅ）及びＦＫ５−１−１２の様々な配合を試験した。火災は、１．６ｋＷの火災であった。結果を以下の表１に示す。
【０１７８】
【表１】
2020519340.tif 000002
【０１７９】
実施例２及び実施例３に報告されているような出願人らの試験作業からわかるように、出願人らは、特に組成物が、約２０重量％超のＨＦＯ−１２３３ｚｄ（Ｅ）（ＦＫ５−１−１２の約８０重量％未満）及び約８０重量％未満のＨＦＯ−１２３３ｚｄ（約２０重量％超のＦＫ５−１−１２）、より好ましくは約４０重量％超のＨＦＯ−１２３３ｚｄ（Ｅ）（約６０重量％未満のＦＫ５−１−１２）、及び約６０重量％のＨＦＯ−１２３３ｚｄ（約４０重量％超のＦＫ５−１−１２）、更により好ましくは約５０重量％のＨＦＯ−１２３３ｚｄ（Ｅ）及び約５０重量％のＦＫ５−１−１２を含む、又はそれらから本質的になる、又はそれらからなるとき、比較的低い空気体積濃度で、火炎を効果的かつ迅速に抑制することができると同時に、導入されるとき及び空間内に存在するときに蒸気質である、消火剤１〜１５を含む本発明の消火剤を達成することが可能であることを見出した。表１の結果は、消火剤１〜１５を含む、本発明の好ましい消火剤は、標準温度及び湿度下のみで消火剤として効果的に機能することができるが、消火又は不活性化されている領域の温度及び湿度条件の上昇において特に良好に機能することを実証する。
【図１】
2020519340.tif 000003
【図２】
2020519340.tif 000004
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
約２０重量％〜約８０重量％の１−クロロ−３，３，３−トリフルオロプロペン（ＨＦＯ−１２３３ｚｄ）と、約２０重量％〜約８０重量％の１，１，１，２，２，４，５，５，５−ノナフルオロ−４−（トリフルオロメチル）−３−ペンタノン（ＦＫ５−１−１２）と、を含む、消火剤。
【請求項２】
火炎を消火する方法であって、
（ａ）約２０重量％〜約８０重量％の１−クロロ−３，３，３−トリフルオロプロペン（ＨＦＯ−１２３３ｚｄ）と、約２０重量％〜約８０重量％の１，１，１，２，２，４，５，５，５−ノナフルオロ−４−（トリフルオロメチル）−３−ペンタノン（ＦＫ５−１−１２）とを含む消火剤を提供することと、
（ｂ）前記消火剤を、約６体積％以下の空気中の濃度をもたらす量で前記火炎に適用することと、を含む、方法。
【請求項３】
前記消火剤が、ＨＦＯ−１２３３ｚｄ及びＦＫ５−１−１２．１０から本質的になり、前記適用する工程が、約５体積％以下の空気中の前記消火剤の濃度をもたらし、前記適用することが、前記消火剤を約８０°Ｆを超える温度及び約７０％を超える相対湿度を有する領域に適用することを含む、請求項２に記載の方法。
【国際調査報告】
2020519340.tif 000005
2020519340.tif 000006
2020519340.tif 000007
2020519340.tif 000008
2020519340.tif 000009
2020519340.tif 000010
2020519340.tif 000011
2020519340.tif 000012
2020519340.tif 000013
2020519340.tif 000014
2020519340.tif 000015
2020519340.tif 000016
2020519340.tif 000017
2020519340.tif 000018